(57)【要約】      （修正有）【課題】歯型回転式開閉機構によって扇状に開閉し、弓状の張り骨を傘柄と共に収納する傘を提供する。【解決手段】小幅棒板状の３本の傘布張り用の張り骨１，２，３を弓状に形成し、３層に重ねるように束ね、各張り骨の左右両端は、閉じ合わせた要において歯型回転式開閉機構１５の構成部分としてジョイントする。主張り骨１の内側に、弓状の天中点から片端の要の少し手前の位置までスライド溝条を設け、傘柄２２の先端部をスライド溝条に嵌め込むように形成し、天中点に位置するスライド溝条天中端には、傘柄先端をネジ止め式に固定する傘柄固定部を設ける。傘を閉じたら傘柄の先端部を傘柄固定部から外し、スライド溝条末端にスライド移動させ、弓の弦のように折り畳む。【選択図】図１
2013034810.tif 000002
【特許請求の範囲】
【請求項１】
プラスチックや金属等の軽量な素材を用い、小幅棒板状の３本の傘布張り用の張り骨を弓状に形成し、３層に重ねるように束ね、各張り骨の左右両端は、閉じ合わせた要において歯型回転式開閉機構の構成部分としてジョイントされ、張り骨は３層に閉じ重ねた状態において、下から上へ順に主張り骨、中張り骨、外張り骨とし、歯型回転式開閉機構の構成部分として参加するのは、主張り骨端における円筒状ジョイントシリンダ、外張り骨端における外張り骨ジョイント部、この両者の間に在ってジョイントシリンダの円筒の外に通し、スッポリ嵌め込む形で設置される中張り骨ジョイントのリング部、そして、外張り骨ジョイント部を後背台座のようにしてジョイントシリンダの筒内腔を摺動する円柱状ジョイントピストンであり、ジョイントシリンダは円筒状を成し、外張り骨ジョイント部に対向する円筒先端面縁の全周回には深さ数ミリ、９０°角程の歯型が複数形成され、歯型の厚さは即ち円筒の厚さで、円筒の外形の長さは、筒後背部を閉じる面でありながら、円筒内側に摺動するところの薄い円盤状の筒後背部摺動板の厚さとジョイントピストンの長さの合計に相当し、筒内腔の径はジョイントピストンがピッタリ嵌入し円滑に摺動できる大きさであり、筒内腔の最奥は筒後背部から見るとドーナツ状壁面になり、このドーナツ状壁面と筒後背部摺動板の間にコイルバネが設置され、コイルバネの伸縮幅は歯型の深さに相当し、このコイルバネが設置された空間幅をジョイントピストンの長さから差し引いた長さが筒内腔の深さに相当し、外張り骨ジョイント部は、外張り骨の他の部分よりも一回り分厚く、ジョイントピストンの後背部をぴったり包み込むように形成されており、内側面（ジョイントシリンダとの対向面）は、ジョイントピストンがジョイントシリンダの筒内腔の最奥にまで嵌入した時に、ジョイントシリンダの円筒先端とぴったり噛み合うように半周回部分に対応的な複数の歯型が形成され、ジョイント軸芯用の貫通孔と重なる中心線において一直線上に配置された各構成部分は、ジョイントピストンがジョイントシリンダの筒内腔に嵌入されて、ジョイントシリンダ及び外張り骨ジョイント部の歯型がピッタリ噛み合った状態において、ジョイント軸芯によって全体結合され、歯型の噛み合わせが嵌まったり浮き上がったりする分だけジョイントピストンが摺動し、ジョイントピストンの先端において接合されているジョイントシリンダ筒後背部摺動板がコイルバネを歯型の深さだけ伸縮させ、歯型の噛み合わせの移動回転に連れて外張り骨が段階的に開閉するところに歯型回転式開閉機構が設定され、主張り骨の外側及び中張り骨の内側（つまり相互に対面する側）に、要（即ち歯型回転式開閉機構）から１０ｃｍ程の位置に、長さが２ｃｍ程異なる二つのストッパー片のどちらか、即ちストッパー長片ｏｒストッパー短片の一端を取り付け、相互に相手方に伸ばした先端付近で重なり、ストッパー長片の先端から約２ｃｍ程手前にストッパー短片の先端近くが重なり合うその地点において、一点止め式の接合点で接合されてストッパーが形成され、このストッパーは、主張り骨と中張り骨が９０°開いた地点で二つのストッパー片が一直線状に開ききり、傘がそれ以上開かないように固定する��のであるが、この時、ストッパー長片の接合面側の真ん中辺りから先端にかけて徐々に分厚く被さる感じに形成されているため、少々の強い風であおられてもストッパーが戻ったりしないような強度が生じ、主張り骨の内側（傘をさした時に真下になり、中張り骨と反対側）に、弓状の真ん中（天中点）から片端の要のちょっと手前の位置までスライド溝条を設け、傘柄の先端部をスライド溝条に嵌め込むように形成し、天中点に位置するスライド溝条天中端には、傘柄先端をネジ止め式に固定する傘柄固定部を設け、傘を閉じたら傘柄の先端部を傘柄固定部から外し、スライド溝条末端にスライド移動させ、弓の弦のように折り畳み、傘布は防水加工製が望ましく、外張り骨と主張り骨の間及び主張り骨と中張り骨の間には、それぞれ等間隔に２本の軽量でしなる補助細骨を配置し、傘布部の中に挟み埋め込むように形成し、３本の張り骨の外側から全体を覆うように取り付けられ、傘布の３本の張り骨部分には複数箇所、張り骨に接続するための接続テープを設け、接続テープは面ファスナーなどを用いて簡易的に取り外しできるようにし、傘布をリバーシブルにする場合は両面で使用できるよう内側と外側の両方に接続テープを設け、外張り骨（即ち、段階的に開閉する張り骨側）とその隣りとなる補助細骨の間の傘布は、前方視野確保のため透明ビニールやメッシュ等が望ましく、さらに、傘布の中張り骨と外張り骨の中央部分に持ち手紐を設け、持ち手紐は両端を傘布の２ヶ所に取り付け、手で握り易いよう輪の形となるよう形成し、傘布を張り骨に装着した後、傘柄を中心に中張り骨と外張り骨部分に付いている持ち手紐をそれぞれ外側へ引っ張ると、その力が歯型回転式開閉機構に伝わり、中張り骨側は一挙に９０°開き、ストッパーで固定され、外張り骨側は歯型の噛み合わせが１個ずつずれて回転するために段階的に開き、逆に持ち手紐を傘柄の方（即ち内側）へ引っ張ると、その力は歯型回転式開閉機構に伝わり、中張り骨側はストッパーが解除され閉じ、外張り骨側は段階的に狭まり即ち傘は閉じる。
【発明の詳細な説明】
【技術分野】
【０００１】  本発明は、傘に関するものである。
【背景技術】
【０００２】  従来の傘は、放射状に開閉する形態が多いが、非円形で効率よく防雨することができる傘（特許文献１参照）や自在に揺動可能なランナ機構により、開閉される傘（特許文献２参照）なども知られている。
【先行技術文献】
【特許文献】
【０００３】
【特許文献１】特許公開２００３−９９２１
【特許文献２】特許公開２０１１−１１２６
【発明の概要】
【発明が解決しようとする課題】
【０００４】  従来の傘は、形状の違いはあっても、放射状に開閉する形態のものが多かった。暴風雨の際、放射状の骨組みにより、傘をさしている方向と逆側へ向いてしまい、飛ばされてしまうこともあった。また、放射状骨組みの中心の柄の先端が傘布より外に出ていることにより、傘を閉じ持ち歩く際、柄の先端が人にあたる危険があった。
本発明は以上の問題点を解決するものである。
【議題を解決するための手段】
【０００５】  プラスチックや金属等の軽量な素材を用い、小幅棒板状の３本の傘布張り用の張り骨を弓状に形成し、３層に重ねるように束ね、各張り骨の左右両端は、閉じ合わせた要において歯型回転式開閉機構の構成部分としてジョイントされる。張り骨は３層に閉じ重ねた状態において、下から上へ順に主張り骨、中張り骨、外張り骨とする。歯型回転式開閉機構の構成部分として参加するのは、主張り骨端における円筒状ジョイントシリンダ、外張り骨端における外張り骨ジョイント部、この両者の間に在ってジョイントシリンダの円筒の外に通し、スッポリ嵌め込む形で設置される中張り骨ジョイントのリング部、そして、外張り骨ジョイント部を後背台座のようにしてジョイントシリンダの筒内腔を摺動する円柱状ジョイントピストンである。
ジョイントシリンダは円筒状を成し、外張り骨ジョイント部に対向する円筒先端面縁の全周回には深さ数ミリ、９０°角程の歯型が複数形成され、歯型の厚さは即ち円筒の厚さである。円筒の外形の長さは、筒後背部を閉じる面でありながら、円筒内側に摺動するところの薄い円盤状の筒後背部摺動板の厚さとジョイントピストンの長さの合計に相当し、筒内腔の径はジョイントピストンがピッタリ嵌入し円滑に摺動できる大きさである。筒内腔の最奥は筒後背部から見るとドーナツ状壁面になり、このドーナツ状壁面と筒後背部摺動板の間にコイルバネが設置され、コイルバネの伸縮幅は歯型の深さに相当する。このコイルバネが設置された空間幅をジョイントピストンの長さから差し引いた長さが筒内腔の深さに相当する。
外張り骨ジョイント部は、外張り骨の他の部分よりも一回り分厚く、ジョイントピストンの後背部をぴったり包み込むように形成されており、内側面（ジョイントシリンダとの対向面）は、ジョイントピストンがジョイントシリンダの筒内腔の最奥にまで嵌入した時に、ジョイントシリンダの円筒先端とぴったり噛み合うように半周回部分に対応的な複数の歯型が形成される。
このように形成され、ジョイント軸芯用の貫通孔と重なる中心線において一直線上に配置された各構成部分は、ジョイントピストンがジョイントシリンダの筒内腔に嵌入されて、ジョイントシリンダ及び外張り骨ジョイント部の歯型がピッタリ噛み合った状態において、ジョイント軸芯によって全体結合される。かくして、歯型の噛み合わせが嵌まったり浮き上がったりする分だけジョイントピストンが摺動し、ジョイントピストンの先端において接合されているジョイントシリンダ筒後背部摺動板がコイルバネを歯型の深さだけ伸縮させ、歯型の噛み合わせの移動回転に連れて外張り骨が段階的に開閉するところに歯型回転式開閉機構が設定される。
主張り骨の外側及び中張り骨の内側（つまり相互に対面する側）に、要（即ち歯型回転式開閉機構）から１０ｃｍ程の位置に、長さが２ｃｍ程異なる二つのストッパー片のどちらか、即ちストッパー長片ｏｒストッパー短片の一端を取り付け、相互に相手方に伸ばした先端付近で重なり、ストッパー長片の先端から約２ｃｍ程手前にストッパー短片の先端近くが重なり合うその地点において、一点止め式の接合点で接合されてストッパーが形成される。このストッパーは、主張り骨と中張り骨が９０°開いた地点で二つのストッパー片が一直線状に開ききり、傘がそれ以上開かないように固定するものであるが、この時、ストッパー長片の接合面側の真ん中辺りから先端にかけて徐々に分厚く被さる感じに形成されているため、少々の強い風であおられてもストッパーが戻ったりしないような強度が生じている。
主張り骨の内側（傘をさした時に真下になり、中張り骨と反対側）に、弓状の真ん中（天中点）から片端の要のちょっと手前の位置までスライド溝条を設け、傘柄の先端部をスライド溝条に嵌め込むように形成し、天中点に位置するスライド溝条天中端には、傘柄先端をネジ止め式に固定する傘柄固定部を設ける。傘を閉じたら傘柄の先端部を傘柄固定部から外し、スライド溝条末端にスライド移動させ、弓の弦のように折り畳む。
傘布は防水加工製が望ましく、外張り骨と主張り骨の間及び主張り骨と中張り骨の間には、それぞれ等間隔に２本の軽量でしなる補助細骨を配置し、傘布部の中に挟み埋め込むように形成し、３本の張り骨の外側から全体を覆うように取り付けられる。傘布の３本の張り骨部分には複数箇所、張り骨に接続するための接続テープを設け、接続テープは面ファスナーなどを用いて簡易的に取り外しできるようにする。傘布をリバーシブルにする場合は両面で使用できるよう内側と外側の両方に接続テープを設ける。外張り骨（即ち、段階的に開閉する張り骨側）とその隣りとなる補助細骨の間の傘布は、前方視野確保のため透明ビニールやメッシュ等が望ましい。さらに、傘布の中張り骨と外張り骨の中央部分に持ち手紐を設ける。持ち手紐は両端を傘布の２ヶ所に取り付け、手で握り易いよう輪の形となるよう形成する。
傘布を張り骨に装着した後、傘柄を中心に中張り骨と外張り骨部分に付いている持ち手紐をそれぞれ外側へ引っ張ると、その力が歯型回転式開閉機構に伝わり、中張り骨側は一挙に９０°開き、ストッパーで固定され、外張り骨側は歯型の噛み合わせが１個ずつずれて回転するために段階的に開いていく。逆に持ち手紐を傘柄の方（即ち内側）へ引っ張ると、その力は歯型回転式開閉機構に伝わり、中張り骨側はストッパーが解除され閉じ、外張り骨側は段階的に狭まり即ち傘は閉じる。
【発明の効果】
【０００６】（イ）本発明により防風雨の際、風の抵抗をうけにくく強風であっても骨組みが両端部の要で組み合わさり、又細い骨組みも傘布に埋め込まれているため、骨組みが逆向きとなることがない。
（ロ）金属素材を最小限としているため、軽量でかつ安全である。
（ハ）９０〜１８０°の角度を段階的に開閉の調節が自由にできる。
（ニ）構造上、普通の傘よりも深く覆われるのであるが、傘布のビニール部分やメッシュにより、前方視野が十分に確保されている。
【図面の簡単な説明】
【０００７】
【図１】本発明の外観斜視図
【図２】本発明の一部である歯型回転式開閉機構の内部を示す構造図
【図３】本発明の一部である歯型回転式開閉機構部分が作動し始めて、歯型同志の噛み合わせが少しだけずれた状態を示す斜視図
【図４】本発明の一部である歯型回転式開閉機構の立体分解図
【図５】本発明の一部である傘柄固定部及びスライド溝条を示す構造図
【図６】本発明の一部である傘柄がスライド溝条に嵌り込んだ状態を示す斜視図
【図７】本発明の一部であるストッパー部が開ききった状態を示す構造図
【図８】本発明における傘布を張った状態を示すイメージ図
【図９】本発明の一部である傘布の全面展開図
【図１０】本発明の閉じた状態を示す
【発明を実施するための形態】
【０００８】  以下、本発明の実施形態を説明する。
プラスチックや金属等の軽量な素材を用い、小幅棒板状の３本の傘布張り用の張り骨を弓状に形成し、３層に重ねるように束ね、各張り骨の左右両端は、閉じ合わせた要において歯型回転式開閉機構（１５）の構成部分としてジョイントされる。張り骨は３層に閉じ重ねた状態において、下から上へ順に主張り骨（１）、中張り骨（２）、外張り骨（３）とする。歯型回転式開閉機構（１５）の構成部分として参加するのは、主張り骨端における円筒状ジョイントシリンダ（４）、外張り骨端における外張り骨ジョイント部（６）、この両者の間に在ってジョイントシリンダ（４）の円筒の外に通し、スッポリ嵌め込む形で設置される中張り骨ジョイントのリング部（５）、そして、外張り骨ジョイント部（６）を後背台座のようにしてジョイントシリンダ（４）の筒内腔（９）を摺動する円柱状ジョイントピストン（７）である。
ジョイントシリンダ（４）は円筒状を成し、外張り骨ジョイント部（６）に対向する円筒先端面縁（１４）の全周回には深さ数ミリ、９０°角程の歯型（８）が複数形成され、歯型（８）の厚さは即ち円筒の厚さである。円筒の外形の長さは、筒後背部を閉じる面でありながら、円筒内側に摺動するところの薄い円盤状の筒後背部摺動板（１０）の厚さとジョイントピストン（７）との長さの合計に相当し、筒内腔（９）の径はジョイントピストン（７）がピッタリ嵌入し円滑に摺動できる大きさである。筒内腔（９）の最奥は筒後背部から見るとドーナツ状壁面（１２）になり、このドーナツ状壁面（１２）と筒後背部摺動板（１０）の間にコイルバネ（１３）が設置され、コイルバネ（１３）の伸縮幅は歯型（８）の深さに相当する。このコイルバネ（１３）が設置された空間幅をジョイントピストン（７）の長さから差し引いた長さが筒内腔（９）の深さに相当する。
外張り骨ジョイント部（６）は、外張り骨（３）の他の部分よりも一回り分厚く、ジョイントピストン（７）の後背部をぴったり包み込むように形成されており、内側面（ジョイントシリンダとの対向面）は、ジョイントピストン（７）がジョイントシリンダ（４）の筒内腔（９）の最奥にまで嵌入した時に、ジョイントシリンダ（４）の円筒先端とぴったり噛み合うように、半周回部分に対応的な複数の歯型（８）が形成される。
このように形成され、ジョイント軸芯用（１１）の貫通孔と重なる中心線において一直線上に配置された各構成部分はジョイントピストン（７）がジョイントシリンダ（４）の筒内腔（９）に嵌入されて、ジョイントシリンダ（４）及び外張り骨ジョイント部（６）の歯型（８）がピッタリ噛み合った状態において、ジョイント軸芯（１１）によって全体結合される。
かくして、歯型（８）の噛み合わせが嵌まったり浮き上がったりする分だけジョイントピストン（７）が摺動し、ジョイントピストン（７）の先端において接合されているジョイントシリンダ筒後背部摺動板（１０）がコイルバネ（１３）を歯型（８）の深さだけ伸縮させ、歯型（８）の噛み合わせの移動回転に連れて外張り骨（３）が段階的に開閉するところに歯型回転式開閉機構（１５）が設定される。
主張り骨（１）の外側及び中張り骨（２）の内側（つまり相互に対面する側）に、要（即ち歯型回転式開閉機構）から１０ｃｍ程の位置に、長さが２ｃｍ程異なる二つのストッパー片のどちらか、即ちストッパー長片（１６）ｏｒストッパー短片（１７）の一端を取り付け、相互に相手方に伸ばした先端付近で重なり、ストッパー長片（１６）の先端から約２ｃｍ程手前にストッパー短片（１７）の先端近くが重なり合うその地点において一点止め式の接合点（１８）で接合されてストッパーが形成される。このストッパーは、主張り骨（１）と中張り骨（２）が９０°開いた地点で二つのストッパー一片が一直線状に開ききり、傘がそれ以上開かないように固定するものであるが、この時、ストッパー長片（１６）の接合面側の真ん中辺りから先端にかけて徐々に分厚く被さる感じに形成されているため、少々の強い風であおられてもストッパーが戻ったりしないような強度が生じている。
主張り骨（１）の内側（傘をさした時に真下になり、中張り骨と反対側）に、弓状の真ん中（天中点）（１９）から片端の要のちょっと手前の位置までスライド溝条（２０）を設け、傘柄（２２）の先端部をスライド溝条（２０）に嵌め込むように形成し、天中点（１９）に位置するスライド溝条天中端（２３）には、傘柄先端をネジ止め式に固定する傘柄固定部（２１）を設ける。傘を閉じたら傘柄（２２）の先端部を傘柄固定部（２１）から外し、スライド溝条末端（２４）にスライド移動させ、弓の弦のように折り畳む。
傘布（２５）は防水加工製が望ましく、外張り骨（３）と主張り骨（１）の間及び主張り骨（１）と中張り骨（２）の間には、それぞれ等間隔に２本の軽量でしなる補助細骨（２６）を配置し、傘布部の中に挟み埋め込むように形成し、３本の張り骨の外側から全体を覆うように取り付けられる。傘布（２５）の３本の張り骨部分には複数箇所、張り骨に接続するための接続テープ（２７）を設け、接続テープ（２７）は面ファスナーなどを用いて簡易的に取り外しできるようにする。傘布（２５）をリバーシブルにする場合は両面で使用できるよう内側と外側の両方に接続テープ（２７）を設ける。中張り骨（２）と外張り骨（傘の外側となる張り骨）（３）の中央よりの傘布（２５）に留め紐（２８）を設ける。留め紐（２８）は、傘を閉じた際に傘柄（２２）と張り骨、傘布（２５）をひとまとめにくくり、収納できる長さとする。外張り骨（即ち、段階的に開閉する張り骨側）（３）とその隣りとなる補助細骨（２６）の間の傘布（２５）は、前方視野確保のため透明ビニールやメッシュ等が望ましい。さらに、傘布（２５）の中張り骨（２）と外張り骨（３）の中央部分に持ち手紐（２９）を設ける。持ち手紐（２９）は両端を傘布（２５）の２ヶ所に取り付け、手で握り易いよう輪の形となるよう形成する。
傘布（２５）を張り骨に装着した後，傘柄（２２）を中心に中張り骨（２）と外張り骨部分（３）に付いている持ち手紐（２９）をそれぞれ外側へ引っ張ると、その力が歯型回転式開閉機構（１５）に伝わり、中張り骨側（２）は一挙に９０°開きストッパーで固定され、外張り骨側（３）は歯型（８）の噛み合わせが１個ずつずれて回転するために段階的に開いていく。逆に持ち手紐（２９）を傘柄（２２）の方（即ち内側）へ引っ張ると、その力は歯型回転式開閉機構（１５）に伝わり、中張り骨側（２）はストッパーが解除され閉じ、外張り骨側（３）は段階的に狭まり即ち傘は閉じる。
本発明は以上のような構造である。
本発明を使用する時は、傘を開く際、傘柄（２２）の先端部を主張り骨（１）の内側のスライド溝条末端（２４）から天中点（１９）のスライド溝条端（２４）までスライド移動させ、傘柄固定部（２１）でネジ止め式に固定させる。その後、傘柄（２２）を持ちながら傘布（２５）の中張り骨側中央の持ち手紐（２９）を外側に引っ張ると、その力が歯型回転式開閉機構（１５）に伝わり、中張り骨（２）は一挙に９０°開き、ストッパーで固定される。外張り骨側中央の持ち手紐（２９）を外側に引っ張ると歯型回転式開閉機構（１５）の歯型（８）の噛み合わせが１個ずつずれて回転し、外張り骨（３）が９０〜１８０°の間を段階的に開き、即ち傘は開く。
傘を閉じる際は、傘柄（２２）を持ちながら、傘布（２５）の中張り骨側中央の持ち手紐（２９）を内側（傘柄の方）へ引っ張ると歯型回転式開閉機構（１５）に伝わり、中張り骨（２）が移動しストッパーの固定が解除され、傘は閉じる。
傘布（２５）の反対側、外張り骨側中央の持ち手紐（２９）を内側へ引っ張るとその力が歯型回転式開閉機構（１５）を逆に回転するよう働き、外張り骨（３）は段階的に移動し傘は閉じる。傘を閉じた後、傘柄先端部を傘柄固定部（２１）から外し、スライド溝条末端（２４）へスライド移動させて傘柄（２２）を折り返し畳み、傘柄（２２）と張り骨、傘布（２８）を留め紐（２９）でひとまとめにくくり、収納する
【符号の説明】
【０００９】  １．主張り骨  ２．中張り骨  ３．外張り骨  ４．ジョイントシリンダ  ５．中張り骨ジョイントリング部  ６．外張り骨ジョイント部  ７．ジョイントピストン  ８．歯型  ９．筒内腔  １０．筒後背部摺動板  １１．ジョイント軸芯  １２．ドーナツ状壁面  １３．コイルバネ  １４．円筒先端面縁  １５．歯型回転式開閉機構  １６．ストッパー長片  １７．ストッパー短片  １８．一点止め式の接合点  １９．天中点  ２０．スライド溝条  ２１．傘柄固定部  ２２．傘柄  ２３．スライド溝条天中端  ２４．スライド溝条末端  ２５．傘布  ２６．補助細骨  ２７．接続テープ  ２８．留め紐  ２９．持ち手紐
【図１】
2013034810.tif 000003
【図２】
2013034810.tif 000004
【図３】
2013034810.tif 000005
【図４】
2013034810.tif 000006
【図５】
2013034810.tif 000007
【図６】
2013034810.tif 000008
【図７】
2013034810.tif 000009
【図８】
2013034810.tif 000010
【図９】
2013034810.tif 000011
【図１０】
2013034810.tif 000012